(57)【要約】【課題】小物製品に所望する固有振動数と余韻の長さを付与できるデザイン及び設計システムの提供を目的とする。【解決手段】小物製品に音を付与するためのデザイン及び設計システムであって、当該小物製品に外径又は内径Ｓｍｍの凹部を形成し、当該凹部の深さをＤｍｍ、肉厚をＴｍｍとすると、０．４Ｓ≦Ｄ≦０．７Ｓの範囲に設定する手段と、一次モード振動数ｆ（Ｈｚ）＝−αＳ＋βＴ＋Ｋ０、余韻長さｆ（ｔ）＝γＳ＋Ｋ１なる関係式（α、β、γは材質、形状にて定まる係数、Ｋ０、Ｋ１は定数）を用いてＤ及びＴの値を設定する手段を有することを特徴とする。【選択図】  図６
2012123071.tif 000002
【特許請求の範囲】
【請求項１】
小物製品に音を付与するためのデザイン及び設計システムであって、
当該小物製品に外径又は内径Ｓｍｍの凹部を形成し、当該凹部の深さをＤｍｍ、肉厚をＴｍｍとすると、０．４Ｓ≦Ｄ≦０．７Ｓの範囲に設定する手段と、一次モード振動数ｆ（Ｈｚ）＝−αＳ＋βＴ＋Ｋ０、
余韻長さｆ（ｔ）＝γＳ＋Ｋ１なる関係式（α、β、γは材質、形状にて定まる係数、Ｋ０、Ｋ１は定数）を用いてＤ及びＴの値を設定する手段を有することを特徴とする音付与デザイン・設計システム。
【請求項２】
前記凹部の外径又は内径Ｓが３ｍｍ以上で１００ｍｍ以下の小物製品であることを特徴とする請求項１記載の音付与デザイン・設計システム。
【発明の詳細な説明】
【技術分野】
【０００１】
本発明は、身に付けるアクセサリー、身の廻りに置く小物製品等、日常生活において使用する小物製品に音の価値を付加出来るデザイン及び設計システム（手法）に関する。
【背景技術】
【０００２】
日本人にとって、「音」はとても重要な文化的意味を持っていると言える。
例えば季節を「音」で感じたり、風の音を聴いて天気を予測したり、虫の鳴く音を聴けばその虫の声で去り行く季節を感じたり、鳥の鳴く声でやってくる春を感じたりする。
しかし、現代において日本人は人工音に囲まれて生活をし、いわば雑音に慣れきった生活をしているために「音」の有する価値に気づかなくなってしまいました。
そこで本発明者は、身の廻りの小物製品に音の価値を付加できれば現代生活を豊かに出来るのではないかと考え、「音」と「技術」の融合をはからんとした。
本発明者の調査によれば、これまでに製品の形状と音の関係を体系的に追求した例は見当たらなかった。
【発明の概要】
【発明が解決しようとする課題】
【０００３】
本発明は、小物製品に所望する固有振動数と余韻の長さを付与できるデザイン及び設計システムの提供を目的とする。
【課題を解決するための手段】
【０００４】
本発明に係る音付与デザイン・設計システムは、小物製品に音を付与するためのデザイン及び設計システムであって、当該小物製品に外径又は内径Ｓｍｍの凹部を形成し、当該凹部の深さをＤｍｍ、凹部側壁の肉厚をＴｍｍとすると、０．４Ｓ≦Ｄ≦０．７Ｓの範囲に設定する手段と、一次モード振動数ｆ（Ｈｚ）＝−αＳ＋βＴ＋Ｋ０、余韻長さｆ（ｔ）＝γＳ＋Ｋ１なる関係式（α、β、γは材質、形状にて定まる係数、Ｋ０、Ｋ１は定数）を用いてＤ及びＴの値を設定する手段を有することを特徴とする。
【０００５】
本発明者は、形状、凹部深さ及び凹部側壁の肉厚の異なる製品形状のサンプルを多く試作し、超小型電磁サーボを用いて一定の力でその試作品を叩き、音の変化を計測及び評価した。
その詳細方法及び結果については後述することにし、ここでは概要を述べる。
小物製品を棒状にするよりも小物製品全体あるいは一部を凹形状にし、その凹部形状の外径又は内径の大きさＳｍｍに対してその凹部形状の深さＤｍｍを０．４×Ｓ≦Ｄ≦０．７×Ｓの範囲に設定すれば音の響きに強さがあり、長い余韻が残ることが明らかになった。
さらに一次モード振動数（基本モード振動数）ｆ（Ｈｚ）は凹部の外径又は内径Ｓの大きさが大きくなるのに比例して小さくなり、肉厚Ｔの厚みに比例して逆に大きくなることが明らかになり、一方余韻の長さｆ（ｔ）は凹部の外径又は内径Ｓの大きさに比例することが明らかになった。
この関係は凹部の外径又は内径Ｓが３ｍｍ〜１００ｍｍの範囲で適用できる。
【発明の効果】
【０００６】
本発明に係る音付与デザイン・設計システム（音付与方法）は、小物製品の種類や使用者のニーズに合せて最適な製品形状を導き出すのに有用である。
【図面の簡単な説明】
【０００７】
【図１】製品形状Ｓ１〜Ｓ４の計測した音の周波数分布を示す。
【図２】製品形状Ｓ５〜Ｓ８の計測した音の周波数分布を示す。
【図３】製品の外形サイズＳ１１〜Ｓ１３の計測した音の周波数分布を示す。
【図４】製品の外径Ｓの大きさと一次モード振動数の関係をグラフに示す。
【図５】製品の外径Ｓの大きさと余韻の長さの関係をグラフに示す。
【図６】製品の肉厚ｔの厚みと一次モード振動数の関係をグラフに示す。
【図７】本発明にて評価に用いた製品の肉厚Ｔと一次モード振動数を表したグラフに周囲の音の範囲を重ねて表示した例を示す。
【発明を実施するための形態】
【０００８】
以下、本発明者が実施した実験結果について説明する。
図１及び図２に示すように金属素材として黄銅材を用いて、おわん型、有底筒状の小型の鐘状の小物製品を製作し、一定の力で叩いて発生した音の周波数及び余韻の長さを計測した。
その結果、製品の形状Ｓ１、Ｓ２、Ｓ３、Ｓ４、Ｓ８は強い響きと余韻があったのに対して、深さの浅いＳ５、Ｓ６、Ｓ７は音の発生が弱かった。
このことから鐘の外径Ｓに対して深さＤは０．４×Ｓ≦Ｄ≦０．７×Ｓの範囲に設定すれば、径が３〜４ｍｍ程度の小さいものでも強い音が出ることが明らかになった。
【０００９】
次に、図３に示すような円筒側壁部と傾斜底部を有する外径サイズＳの異なる鐘を試作し、音の周波数を計測した。
その計測データに基づいて、図４のグラフは横軸外径Ｓ（ｍｍ）に対する縦軸一次モード振動数ｆ（Ｈｚ）の値をプロットし、図５のグラフは縦軸に余韻の長さｆ（ｔ）としてプロットしたものである。
このグラフを見ると明らかなように負の比例関係を示し、一次モード振動数ｆ（Ｈｚ）に対してｆ（Ｈｚ）＝−αＳ＋Ｋ０（α：係数、Ｋ０：定数）の関係が成立する。
余韻の長さｆ（ｔ）に対しては正の比例関係を有し、ｆ（ｔ）＝γＳ＋Ｋ１（γ：係数、Ｋ１：定数）の関係が成立する。
【００１０】
次に、図６に外径Ｓ：２５ｍｍ、深さＤ：１２．５ｍｍの鐘を用いてその側壁部の肉厚Ｔ（ｍｍ）のみを変化させて計測した音の周波数のグラフを示す。
この結果、一次モード振動数ｆ（Ｈｚ）はｆ（Ｈｚ）＝βＴ（β：係数）の関係式を有していることが分かる。
【００１１】
以上のことから一次モード振動数ｆ（Ｈｚ）「単位Ｈｚ」及び余韻の長さｆ（ｔ）「単位ｓｅｃ」に対して外径又は内径のサイズＳ（ｍｍ）、深さＤ（ｍｍ）、肉厚Ｔ（ｍｍ）との関係は、
ｆ（Ｈｚ）＝−αＳ＋βＴ＋Ｋ０
ｆ（ｔ）＝γＳ＋Ｋ１の関係が成り立つ。（但し、α、β、γは素材の材質や形状により定まる係数、Ｋ０及びＫ１は定数）。
従って、小物製品の素材の材質に応じて予め図４〜図６のデータをとり、それに基づいて係数α、β、γ及び定数Ｋ０、Ｋ１を求めておくことで使用者のニーズに合せてサイズＳ、深さＤ、肉厚Ｔを設定することができる。
【００１２】
図７は参考として、図６のグラフに周囲の音の分布を重ねて表示したものである。
自然界や周囲の音の分布を参考にして音の付加方法を定めることができる。
【図４】
2012123071.tif 000003
【図５】
2012123071.tif 000004
【図１】
2012123071.tif 000005
【図２】
2012123071.tif 000006
【図３】
2012123071.tif 000007
【図６】
2012123071.tif 000008
【図７】
2012123071.tif 000009